(57)【要約】【課題】  流し台のカウンターに取付けられる水栓の使い勝手を向上させる【解決手段】  水栓Ａは、流し台１のカウンター２に取付けられる水栓本体５と、この水栓本体５の上部に回転自在に装着され先端に吐水ヘッド１２を備えた吐水管１０と、水栓本体５の正面側に装着され吐水ヘッド１２から供給される湯水の流路を開閉操作するためのレバー１４とを備え、レバー１４はその操作部１５が吐水ヘッド１２の先端より高い位置に配置されるようにした。【選択図】図３
2008163572.tif 000002
【特許請求の範囲】
【請求項１】
流し台のカウンターに取付けられる水栓本体と、この水栓本体の上部に回転自在に装着され先端に吐水ヘッドを備えた吐水管と、水栓本体の正面側に装着され吐水ヘッドから供給される湯水の流路を開閉操作するためのレバーとを備え、レバーはその操作部が吐水ヘッドの先端より高い位置に配置されるようにしたことを特徴とする水栓。
【請求項２】
前記吐水管の内部には、レバーにより調節された湯水を吐水ヘッドへ供給するホースを挿通し、吐水ヘッドは吐水管の先端に引き出し自在に支持されることを特徴とする請求項１記載の水栓。
【請求項３】
前記吐水ヘッドはホースから供給される湯水の吐水形態を切り替える摘みを備えたことを特徴とする請求項１又は請求項２記載の水栓。
【発明の詳細な説明】
【技術分野】
【０００１】
この発明は、流し台のカウンターに取付けられる水栓に関するものである。
【背景技術】
【０００２】
流し台では複数の人が同時に調理などの作業を行なう場合があり、カウンターに取付けられる水栓は、複数の人が多方向からレバーの操作を行なうことがあるため、その正面側からだけでなく、左右からも容易にレバーの操作を行なうことができるようにすることが望ましい。このような流し台に取付けられる水栓として公知のものに特許文献１がある。
特許文献１に開示された水栓は、カウンターに固定的に取付けられたベース部と、ベース部の上部に装着されシンクの上方に向かって延びる給水ヘッドと、給水ヘッドへの給水経路の開閉操作を行なうためのレバーとを備え、レバーはベース部の正面側に設けられており、給水ヘッドは水栓の上部から略Ｕ字型に湾曲させ、給水ヘッドの先端部より低い位置にレバーが設けられている。水栓はこのような構成であるため、流し台の周囲の広い範囲からレバーに手が届き、操作性が優れているものである。また、水栓がカウンターの中央付近だけでなく、左右の何れかに配置されていてもレバーを容易に操作することができるものである。
【０００３】
【特許文献１】特開２００５−２７３１５７号公報
【発明の開示】
【発明が解決しようとする課題】
【０００４】
特許文献１の水栓では、給水ヘッドは略Ｕ字型に湾曲し、レバーはこの給水ヘッドの先端よりも低い位置に設けられている。給水ヘッドをベース部の上部に装着し、略Ｕ字型に湾曲させたこのような水栓では、給水ヘッドの下に容器を置き、給水ヘッドから容器に湯水を入れる場合に便利であるが、給水ヘッドから吐水される湯水を容器に入れたい場合、レバーが給水ヘッドの先端より低い位置に設けられているため、給水ヘッドの下に配置される容器は、正面側からシンクの奥に向けて移動させるとレバーに当たってしまい、シンク内で置ける範囲が制限され、使用できる容器の寸法に制限ができ、大きな容器は使用することができず、使い勝手の悪いものであった。
【０００５】
また、特許文献１の水栓では、給水ヘッドを手に持って左右に回転させたり、給水ヘッドの先端に設けられているシャワーヘッドをホースと共に引き出したり、シャワーヘッドの切換えスイッチを操作して湯水の吐水形態の切り換えを行なうことができるが、レバーがベース部の低い位置に装着されているため、レバーと給水ヘッドとは上下に離れた位置にあり、レバーと給水ヘッドの各操作部とを続けて操作しようとすると、手の移動距離が長くなり、操作性が悪く、手を移動する間に無駄な湯水を供給するものであった。
【０００６】
この発明は、このような従来の技術に存在する問題点に着目してなされたものであり、その課題は、流し台のカウンターに取付けられる水栓の使い勝手を向上させることである。
【課題を解決するための手段】
【０００７】
上記課題を達成するため、請求項１記載の発明では、流し台のカウンターに取付けられる水栓本体と、この水栓本体の上部に回転自在に装着され先端に吐水ヘッドを備えた吐水管と、水栓本体の正面側に装着され吐水ヘッドから供給される湯水の流路を開閉操作するためのレバーとを備え、レバーはその操作部が吐水ヘッドの先端より高い位置に配置されるようにした水栓であることを特徴としている。
【０００８】
請求項２に記載の発明では請求項１記載の発明において、前記吐水管の内部には、レバーにより調節された湯水を吐水ヘッドへ供給するホースを挿通し、吐水ヘッドは吐水管の先端に引き出し自在に支持される水栓であることを特徴としている。
【０００９】
請求項３記載の発明では請求項１又は請求項２記載の発明において、前記吐水ヘッドはホースから供給される湯水の吐水形態を切り替える摘みを備えた水栓であることを特徴としている。
【発明の効果】
【００１０】
本発明の請求項１記載の発明では、レバーを水栓本体の比較的高い位置に装着し、その操作部を吐水ヘッドの下端より上部に位置するようにすることで、容器を吐水管の下に配置した場合に、容器とレバーの操作部とが衝突することがなく、容器の寸法が大きくても使用することができる。しかも、レバーの操作部を吐水ヘッドに接近させることで、レバーによる湯水の止水、吐水、流量調節、温度調節の操作と、吐水管の回転操作とを接近した位置で素早く行なうことができ、操作性が良く、節水を図ることができる。
【００１１】
請求項２又は請求項３に記載の発明では、請求項１記載の発明において、吐水ヘッドの吐水管からの引き出し操作と、吐水ヘッドのつまみによる流路切替操作との何れも操作部が接近しているため、手の移動量を少なくすることで、操作を素早く行なうことができる。
【発明を実施するための最良の形態】
【００１２】
以下、本発明を具体化した実施例を図に基づいて詳細に説明する。
【実施例１】
【００１３】
図１及び図２に示すように、流し台１のカウンター２には左右方向の略中央付近に本発明の水栓Ａを取付けるための取付孔３が穿設されており、水栓Ａはこの取付孔３に上部から取付けられている。水栓Ａはカウンター２に取付けられる水栓本体５と、この水栓本体５の上端部に回転自在に装着される吐水管１０と、吐水管１０から供給される湯水の流路を開閉操作するためのレバー１４とを備えている。
【００１４】
前記水栓本体５は下端部から上端部に向けてその外径を小径に形成した縦長の略円錐状で、その上部正面側には弁機構１６を収容するための膨出部６が形成されている。膨出部６はその上面に背面側から正面側に向けて前下がりの傾斜面７が形成され、この傾斜面７に前記レバー１４が装着される。膨出部６の後方には傾斜面７と連続して上面取付部８が形成され、この上面取付部８に前記吐水管１０が回転自在に装着される。
【００１５】
前記吐水管１０は水栓本体５の上面取付部８に対し回転自在に装着される。吐水管１０はその形状は中央部分を湾曲させた略Ｕ字状に形成され、図４に示すように内部には前記弁機構１６により温度及び流量が調節された湯水を前記カウンター２の前方に設けられたシンク４に向けて供給するためのホース１１が挿通しており、ホース１１の先端には吐水ヘッド１２が接続され、この吐水ヘッド１２はホース１１と共に吐水管１０から引き出し自在に収納されている。吐水ヘッド１２には湯水の吐水形態を、例えばシャワー水又は直流水の何れか一つを選択するための摘み１３が設けられている。
【００１６】
前記レバー１４は水栓本体５の膨出部６に装着され、膨出部６に収容されている弁機構１６と連繋させることで、吐水ヘッド１２から供給される湯水の温度及び流量を調節することができるものである。レバー１４は膨出部６の傾斜面７に装着され、この傾斜面７は背面側から正面側に向けて前下がりであるため、レバー１４はその全体が前下がりである。また、レバー１４はその操作部１５の横幅を吐水管１０の外径より幅広に形成し、操作部１５の平面中央部には操作時に指を入れるこのできる操作孔１５ａが形成されている。従って、吐水管１０の後方にレバー１４が位置していてもレバー１４が吐水管１０により隠れてしまうことがなく、しかもレバー１４にはその操作部１５に操作孔１５ａが形成されているため、この操作孔１５ａに指を入れれば容易に操作をすることができる。
【００１７】
図３の状態はレバー１４は止水位置であり、この止水位置から上方向へ操作することで湯水の吐水を行なう。レバー１４はその基端から先端に向けて吐水ヘッド１２と接近する方向に設けられており、その先端の操作部１５は止水位置及び吐水位置の何れも、吐水ヘッド１２の下端より上部に位置するようにしている。このようにレバー１４を水栓本体５の比較的高い位置に装着し、その操作部１５を止水位置であっても吐水位置であっても吐水ヘッド１２の下端より上部に位置するようにすると、容器Ｂを吐水管１０の下に配置した場合に、容器Ｂとレバー１４の操作部１５とが衝突することがなく、容器Ｂの寸法が大きくても使用することができる。
【００１８】
また、レバー１４の操作部１５を吐水ヘッド１２に接近させることで、レバー１４による湯水の止水、吐水、流量調節、温度調節の操作と、吐水ヘッド１２の吐水管１０からの引き出し操作と、吐水ヘッド１２のつまみ１３による流路切替操作との何れも操作部１５が接近しているため、手の移動量を少なくすることで、操作を素早く行なうことができる。
【実施例２】
【００１９】
図５は流し台１のカウンター２の右側に本発明の水栓Ａを取付けた場合の実施例である。この実施例において、水栓Ａのレバー１４は水栓本体５の正面側に配置されており、吐水管１０はシンク４に向けて左側に回転させた状態で使用される。このようにレバー１４と吐水管１０とが上下に重なり合わない状態で使用すると、レバー１４を操作する場合に吐水管１０が邪魔になることがない。
【図面の簡単な説明】
【００２０】
【図１】本発明の第１実施例の水栓が流し台のカウンターの略中央に取付けられた状態を示す斜視図である。
【図２】図１の拡大斜視図である。
【図３】水栓の側面図である。
【図４】図３の水栓において、吐水ヘッドをホースから引き出した状態を示す説明図である。
【図５】本発明の第２実施例の水栓が流し台のカウンターの右側に取付けられた状態を示す斜視図である。
【符号の説明】
【００２１】
１          ：  流し台
２          ：  カウンター
４          ：  シンク
５          ：  水栓本体
１０          ：  吐水管
１１          ：  ホース
１２          ：  吐水ヘッド
１３          ：  摘み
１４          ：  レバー
１５          ：  操作部
Ａ            ：  水栓
【図１】
2008163572.tif 000003
【図２】
2008163572.tif 000004
【図３】
2008163572.tif 000005
【図４】
2008163572.tif 000006
【図５】
2008163572.tif 000007